【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
ａ）第１のインダクタンスと第１の共振周波数を生成するように構成された基板表面に接触可能な第１のコイルを形成する第１の導電性ワイヤであって、
前記第１のコイルは、前記第１の導電性ワイヤに沿って、該第１のコイルの最外巻回端にある第１のコイルの第１端から前記第１のコイルの最内巻回端にある第１のコイルの第２端まで伸びる連続した導電路から成り、
前記第１のコイルはN１巻回（ターン）数 から成り、
前記第１のコイル内の隣接する巻回間に第１のギャップが伸びる第１の導電性ワイヤと、
ｂ）第２のインダクタンスと第２の共振周波数を生成するように構成された第２のコイルを形成する第２の導電性ワイヤであって、
前記第１の共振周波数は前記第２の共振周波数と異なっており、
前記第２のコイルは、前記第２の導電性ワイヤに沿って、該第２のコイルの最外巻回端にある第２のコイルの第１端から前記第２のコイルの最内巻回端にある第２のコイルの第２端まで伸びる連続した導電路から成り、
前記第２のコイルは、前記第１のコイルの最内巻回および隣接する第１のコイルによって形成される内周内の一つに位置する基板表面上にあり、
前記第２のコイルはN２巻回（ターン）数から成り、
前記第２のコイル内で隣接する巻回間に第２のギャップが伸び、
前記第２のコイルの第１の端部が前記第１のコイルの第２の端部と接合して両者間に連続した結合部を形成している、第２の導電性ワイヤと、
ｃ）前記第２の最外巻回を前記第１のコイルの最内巻回から分離しており、前記第１および第２のギャップより大きい第３のギャップと、
ｄ）前記第１のコイルの前記第１端部に電気的に接続された第１の端子と、前記第２のコイルの前記第２端部に電気的に接続された第２の端子と、前記第１のコイルと前記第２のコイルとのいずれか一方に電気的に接続された第３の端子とを備え、
ｅ）前記第１の端子、第２の端子、第３の端子のうちの２つを電気的に接続することにより同調可能なインダクタンスが発生でき、
ｆ）前記第１のコイルの前記第１の共振周波数が前記第２のコイルの前記第２の共振周波数とは少なくとも１００kHz異なっており、
ｇ）前記第１のコイルおよび第２のコイルの少なくとも１つが約１００kHzから約５００kHzで動作する、
ことを特徴とするアンテナ。
【請求項２】
請求項１に記載のアンテナであって、前記第３のギャップが少なくとも約０．１ｍｍであるアンテナ。
【請求項３】
請求項１に記載のアンテナであって、前記第１の導電ワイヤが電気的に並列に接続された２つまたはそれ以上のファィラ（ｆｉｌａｒ）から成るアンテナ。
【請求項４】
請求項１に記載のアンテナであって、前記第２の導電ワイヤが電気的に並列に接続された２つまたはそれ以上のファィラ（ｆｉｌａｒ）から成るアンテナ。
【請求項５】
請求項１に記載のアンテナであって、
前記第１の端子は前記第１のコイルの第１の端子に電気的に接続され、該第１のコイルの第１の端子は最外の第１のコイルの周囲にある第１のコイルの第１のワイヤの端部に配置され、前記第３の端子は前記第２のコイルの外周にある第２のコイルの第１の端部に電気的に接続され、前記第２の端子は前記第２のコイルのパターンの内周に沿って位置する前記第２のコイルの第２の端部に電気的に接続されているアンテナ。
【請求項６】
請求項１に記載のアンテナであって、選択回路が前記第１の端子、第２の端子、第３の端子の少なくとも１つに電気的に接続されているアンテナ。
【請求項７】
請求項６に記載のアンテナであって、前記選択回路がキャパシタ、抵抗、インダクタから成るグループから選ばれた少なくとも１つの要素から成るアンテナ。
【請求項８】
請求項１に記載のアンテナであって、前記巻回数N２がN１より大きいアンテナ。
【請求項９】
請求項１に記載のアンテナであって、
各端子はコイル接続点と端子端との間で伸びる端子リード部を有し、前記コイル接続点は前記第１のコイルの第１の導電性ワイヤと前記第２のコイルの第２の導電性ワイヤのいずれかに電気的に接続され、前記端子リード部は前記第１のコイルの第１の導電性ワイヤと前記第２のコイルの第２の導電性ワイヤのいずれかの少なくとも一部に亘って伸びるアンテナ。
【請求項１０】
請求項９に記載のアンテナであって、
前記端子リード部の長さの右側に沿って複数の第１のビアが近接して配置されており、前記端子リード部の前記長さの左側に沿って、かつ前記複数の第１のビアと対向して、複数の第２のビアが配置されていることにより、前記複数の第１のビアの各々が前記複数の第２のビアの１つに対向しており、前記複数の第１のビアおよび前記複数の第２のビアのそれぞれの対向するビアは、前記第１のコイルと前記第２のコイルとのいずれか一方の同じ導電性ワイヤに電気的に接続されていることによって、前記端子リード部をバイパスするビア間導電路を構成するアンテナ。
【請求項１１】
請求項１に記載のアンテナであって、前記第１の導電性ワイヤ及び前記第２の導電性ワイヤのうちの少なくとも１つは可変のワイヤ幅を有するアンテナ。
【請求項１２】
請求項１に記載のアンテナであって、前記アンテナは少なくとも１０kHzにおいて１０より大きい品質係数を有するアンテナ。
【請求項１３】
請求項１に記載のアンテナであって、データ信号、電圧、電流、それらの組み合わせから成るグループから選ばれた電気信号が少なくとも前記第１のコイルおよび第２のコイルにより受信可能であるアンテナ。
【請求項１４】
請求項１に記載のアンテナであって、データ信号、電圧、電流、それらの組み合わせから成るグループから選ばれた電気信号が少なくとも前記第１のコイルおよび第２のコイルにより送信可能であるアンテナ。
【請求項１５】
請求項１に記載のアンテナであって、
前記基板が、ポリイミド、アクリル、グラスファイバー、ポリエステル、ポリエーテル、イミド、ポリテトラフルオロエチレン、ポリエチレン、ポリエーテルエーテルケトン（PEEK）、ポリエチレン、ナフタレート、フルオロポリマー、コポリマー、セラミック材料、フェライト材料、上記の組み合わせから成るグループから選ばれた電気絶縁材料から成る材料で構成された可撓性基板であるアンテナ。
【請求項１６】
請求項１に記載のアンテナであって、約１０kHzから約２５０kHz、約２５０kHzから約５００kHz、６．７８MHz、１３．５６MHz、上記の組み合わせから成るグループから選ばれた周波数帯域内で送受信可能であるアンテナ。
【請求項１７】
請求項１に記載のアンテナであって、少なくとも１０kHzの動作周波数で送受信が可能であるアンテナ。
【請求項１８】
請求項１に記載のアンテナであって、前記第１、第２、第３の端子の２つの接続を選択すると、アンテナの動作周波数が変わるアンテナ。
【請求項１９】
請求項１に記載のアンテナであって、前記第３のギャップが約０．１mmから約１０mmであるアンテナ。
【請求項２０】
請求項１に記載のアンテナであって、前記第１および第２のコイルの少なくとも１つが電力を無線伝送するように構成されているアンテナ。
【請求項２１】
請求項１に記載のアンテナであって、前記第１および第２のコイルの少なくとも１つが無線伝送される電力を受電するように構成されているアンテナ。
【請求項２２】
請求項１に記載のアンテナであって、
前記第１および第２のコイルの少なくとも１つの電気インピーダンスを検出するように構成された電気スイッチ回路をさらに備え、
前記電気スイッチ回路は電気スイッチと少なくとも１つのキャパシタから成り、
該電気スイッチは、前記第１のコイルと第２のコイルとの間に電気的に直列に接続され、少なくとも１つのキャパシタが前記第３の端子に電気的に接続され、
前記電気スイッチを作動すると、前記第１のコイルと第２のコイルの電気接続が可能になる、アンテナ。
【請求項２３】
請求項１に記載のアンテナであって、前記第１のコイルの第１の共振周波数がMHz台であり、前記第２のコイルの第２の共振周波数がkHz台であるアンテナ。
【請求項２４】
請求項１に記載のアンテナであって、前記第１のコイルおよび第２のコイルの少なくとも１つが、約１００kHzから約５００kHzで作動したとき約４．２μHから約８．２μHの間の非シールド（Unshielded）インダクタンスを有するアンテナ。
【請求項２５】
請求項１に記載のアンテナであって、前記第１のコイルおよび第２のコイルの少なくとも１つが１２０mmを超える表面エリアを有するアンテナ。
【請求項２６】
請求項１に記載のアンテナであって、前記第１のコイルおよび第２のコイルの少なくとも１つが５００mAを超える電流で動作するアンテナ。